(57)【要約】【課題】  ネクタイを構成する糸自体の美観を高め、その織り方も多様化することで、ネクタイ全体として人の趣味感を刺激するようにする。【解決手段】    ネクタイ１３の大剣、中継ぎおよび小剣の全部又は一部を、組み糸で構成された組織からなる生地でつくり、また該生地は互いに異なる組み方の組織をつなぎ合わせたものであり、且つ該組織には必要に応じて裏地が取り付けられており、更に前記組織にはリボンヤーン、モールヤーン或いは組み紐が適宜織り込まれている。【選択図】  図６
0003116237.tif 000002
【実用新案登録請求の範囲】
【請求項１】
組み糸で構成された生地を有するネクタイ。
【請求項２】
組み糸で構成された生地が、異なる組織をつなぎ合わせたものである請求項１記載のネクタイ。
【請求項３】
組み糸で構成された生地に裏地が取り付けられている、請求項１または請求項２記載のネクタイ。
【請求項４】
組み糸で構成された生地に、リボンヤーン、モールヤーンおよび組み紐のうちの少なくとも一つが織り込まれた請求項１〜請求項３のうちのいずれか一項記載のネクタイ。
【考案の詳細な説明】
【技術分野】
【０００１】
本考案は、組み糸から構成される生地を用いたネクタイに関する。
【背景技術】
【０００２】
ネクタイの生地に使用される素材としては、絹が最も多く、ほかにウール、アセテート、ナイロンおよびポリエステル等が挙げられ、またネクタイを構成する組織は、経糸と緯糸からなる平織り、綾織りおよび朱子織りの三原組織が基本となっている。そして、ネクタイの柄としては、織柄（ストライプ、チェック、胸柄、総柄等）やプリント柄（地紋、平無地）および編柄等が挙げられる。
【非特許文献１】「商品大辞典」東洋経済新報社  昭和５５年
【非特許文献２】「日本大百科全書」小学館  １９８９年
【考案の開示】
【考案が解決しようとする課題】
【０００３】
ネクタイは、主として男性のワイシャツにおいて、その襟元に付けるアクセサリーとして広く用いられ、スーツが黒、紺、グレー或いは茶色等の地味な一色で構成されることから、ネクタイはスーツ姿の男性にとって個性や趣味を表す重要なアイテムとなっている。
【０００４】
近年、ネクタイは、前述したように、種々の素材や柄のものが存在するが、いずれもネクタイを構成する糸やフィラメントは単色のものが多く、それ自体に美観が乏しいため、前述したストライプやチェック等の単調なデザイン構成や配色となっており、したがって、ネクタイは、種類が非常に多いものの、人の趣味感を刺激して注意を引くようなものが少ないのが実情である。
【０００５】
本考案の目的は、ネクタイを構成する糸自体の美観を高めると共に、その織り方も多様化することで、全体として人の趣味感を刺激するようなネクタイを提供することにある。
【課題を解決するための手段】
【０００６】
請求項１記載の本考案は、組み糸で構成された生地を有するネクタイに関するものである。
【０００７】
ネクタイとしては、帯状、紐状、蝶状およびスカーフ状等、すべての種類のものが含まれる。
【０００８】
組み糸としては、主として絹が用いられるが、用途やデザイン等に応じて他に合成繊維等の種々のものも使用され得る。
【０００９】
請求項２記載の本考案は、前記請求項１記載のネクタイについて、組み糸で構成された生地が異なる組織をつなぎ合わせたものであることを特徴とする。
【００１０】
請求項３記載の本考案は、前記請求項１または請求項２記載のネクタイについて、組み糸で構成された生地に裏地が取り付けられているものである。
【００１１】
請求項４記載の本考案は、前記請求項１〜請求項３のうちのいずれか一項記載のネクタイについて、組み糸で構成された生地に、リボンヤーン、モールヤーンおよび組み紐のうちの少なくとも一つが織り込まれたものである。
【考案の効果】
【００１２】
本考案に係るネクタイは、組み糸で構成された生地を用いたものであるため、組み糸の持つ艶のある独自の風合いが得られる。また、従来のネクタイが経糸と緯糸を基本とする生地で構成されていたのに対して、組み糸では、更に斜め方向や屈曲状、湾曲状等の多様な組み方によって、従来のネクタイとは全くことなる組織構成をなるため、全体として今までのネクタイにはない優れた美観が齎される。
【００１３】
また、組み糸で構成された生地が異なる組織をつなぎ合わせたものである本考案のネクタイによれば、前述した組み糸の持つ独自の美観に加えて、異なる組織の組み合わせによって、趣向を凝らした印象がいっそう強くなり、そのため、趣味感が高められ得る。
【００１４】
更に、組み糸で構成された生地に、リボンヤーン、モールヤーンおよび組み紐のうちの少なくとも一つが織り込まれた本考案のネクタイでは、前記リボンヤーンや組み紐等によって、生地の立体感が強調されると共に、それらが一つのアクセントとなって、デザイン性がいっそう向上され得る。
【考案を実施するための最良の形態】
【００１５】
次に、本考案の実施形態を図面にしたがって説明するが、本考案はかかる実施形態に限定されるものではなく、その要旨の範囲内で種々の変形実施が可能である。
【００１６】
先ず、ネクタイの生地を構成する組み糸について説明すると、図１に示すように、組み糸(1)は、絹糸等の糸(2)が複数本寄り集まったものであり、各糸(2)は同色である場合の他、互いに異なる色とする場合もあり、この場合、組み糸(1)としては多色となる。
【００１７】
組み糸により構成される組織の基本パターンについて説明すると、図２に見られる組織はワラジといわれ、互いに斜め方向で交差する複数本の組み糸(3A)(3B)と上下方向にジグザグ状に伸びる複数本の組み糸(4)を図２(a)に示すような配置で組み上げることにより、図２(b)に示すような三角形や菱形の網目状の組織(21)となる。
【００１８】
図３に示す組織は、アジロといわれ、図３(a)に示すように、上下方向に伸びるジグザグ状の組み糸(5)を複数本並べて、それらの隣り合う組み糸(5) について、一定の規則性をもって交差させて組み上げることにより、図３(b)に示すような正方形の網目状組織(22)となる。
【００１９】
図４に示す組織は、ヨコフリといわれ、図４(a)に示すように、上下方向に伸びる複数本の組み糸(6)と、くの字状の組み糸(7)とで組み上げることにより、図４(b)に示すようなジグザグ状の組織(23)となる。
【００２０】
図５に示す組織は、ミズタマといわれ、図５(a)に示すような略くの字形の組み糸(8)と互いに斜め方向で交差する組み糸(9)とで組み上げることにより、図５(b) に示すような構造の組織(24)となる。
【００２１】
また、前述した種々の組織を組み上げるにあたり、リボン状ヤーンやモール状ヤーン、或いは組み紐を織り込むことで、立体感等を与える場合もある。
【００２２】
そして、ネクタイをつくる場合、前述した各組織の生地を単独で用いても良いが、通常、小幅（３〜１０ｃｍ程度）に組んだ異なる組織の生地をつなぎ合わせて多彩な構成とする。また、前述した各組織を構成する組み糸も、単色のものや多色のものを適宜用いることにより、生地全体としても組み糸独特の多彩の色、艶、質感等を出すものである。
【００２３】
具体的には、図６に示すようなストライプ模様のネクタイ(12)の場合、例えば、(13)部分では、前述したワラジ、アジロ、ヨコフリおよびミズタマのうちのいずれかが用いられ、(14)部分では、それと異なる組織が用いられる。また、(13)部分では、リボンヤーン(11)が織り込まれている。そして、これら異なる組織をつなぎ合わせて一枚の生地とした後、これに木綿等の裏地を接着して、ネクタイ(12)を製造するための最終的な生地とする。この最終的な生地を用いたネクタイ(12)の製造工程は、通常のネクタイと同様であり、生地を所定の形状に裁断して大剣、中継ぎおよび小剣をつくり、次にチッピングを施すものである。
【００２４】
なお、本実施形態では、組み糸で構成された組織からなる生地に木綿等の裏地を接着したが、裏地を接着しない場合もある。
【産業上の利用可能性】
【００２５】
本考案に係るネクタイは、前述した通り、組み糸の持つ独自の風合いや色艶を有し、且つ組み糸の多彩な組み方を用いることで、帯状ネクタイの他、スカーフ状ネクタイ等、種々のネクタイとして利用される。
【図面の簡単な説明】
【００２６】
【図１】組み糸の構成を示す拡大図である。
【図２】組み糸によるワラジ組織の拡大図である。
【図３】組み糸によるアジロ組織の拡大図である。
【図４】組み糸によるヨコフリ組織の拡大図である。
【図５】組み糸によるミズタマ組織の拡大図である。
【図６】実施形態に係るネクタイの正面図である。
【符号の説明】
【００２７】
１  組み糸
３Ａ・３Ｂ・４    ワラジ組織の組み糸
５  アジロ組織の組み糸
６・７  ヨコフリ組織の組み糸
８・９  ミズタマ組織の組み糸
１１  リボンヤーン
１２  ネクタイ
【図１】
0003116237.tif 000003
【図２】
0003116237.tif 000004
【図３】
0003116237.tif 000005
【図４】
0003116237.tif 000006
【図５】
0003116237.tif 000007
【図６】
0003116237.tif 000008